(57)【要約】  シート給送デバイス（１）は、製品の角が密封された縁部に隣接することを条件に、製品のいずれの角でも、または密封された縁部の長さに沿って、１つまたは複数の吸引キャップまたは同等の手段によって、山（３）から単一の製品（４）を把持し引き出すことを可能にし、関連する載置台（２）を包装方向（Ａ）に平行に配置し、包装方向にほぼ平行な方向（Ｂ）に沿って単一の製品を送達し、自由縁部が包装ライン（Ａ）に平行または垂直であるように、単一の製品（４）にほぼ垂直な軸の周りを単一の製品（４）の面上の並進相内で、包装ライン（Ｌ）に沿って送達する前に、山（３）から引き出した各単一の製品（４）を回転させるための手段（２０）を有する。【選択図】図２
2009536138.tif 000002
【特許請求の範囲】
【請求項１】
シート状の製品の山（３）が上に配置され、前記シート状の製品の自由縁部の少なくとも一部（１３）が、載置台（２）の送達側部（５）で突出する載置台（２）と、
前記載置台（２）の上に載置された前記山（３）の底部から、シート状の単一の製品（４）を把持し抜き取る手段（１０）と、
包装方向（Ａ）に沿って、連続して作動される包装ライン（Ｌ）へ向けて前記単一の製品（４）を送達する手段（１７）とを備えるシート給送デバイス（１）であって、
前記自由縁部が、包装方向（Ａ）に平行または垂直であるように、前記単一の製品（４）にほぼ垂直な軸の周りを前記単一の製品（４）の面上の並進相内で、前記包装ライン（Ｌ）上に送達する前に、前記山（３）から引き出された各単一の製品（４）を回転させるための手段（２０）を備えることを特徴とするシート給送デバイス（１）。
【請求項２】
前記単一の製品（４）が、包装方向（Ａ）にほぼ平行または垂直な送達方向（Ｂ）に従って送達される、請求項１に記載のシート給送デバイス（１）。
【請求項３】
前記送達側部（５）が、前記包装方向（Ａ）にほぼ垂直または平行である、請求項１または２に記載のシート給送デバイス（１）。
【請求項４】
前記把持し抜き取る手段（１０）が、前記並進がその上に生じる摺動式可動面（１８）の上に前記単一の製品（４）を配置する、請求項１から３のいずれかに記載のシート給送デバイス（１）。
【請求項５】
前記回転させるための手段（２０）が、前記単一の製品（４）と前記摺動式可動面（１８）の間の干渉を増大させるシステムを有する、請求項４に記載のシート給送デバイス（１）。
【請求項６】
干渉を増大させる前記システムが、前記摺動式可動面（１８）の表面から一定の距離で、その下にその経路に沿って前記単一の製品（４）が導入される、複数の空転する回転部材（２１）を備える、請求項５に記載のシート給送デバイス（１）。
【請求項７】
前記空転する回転部材が、球（２１）である、請求項６に記載のシート給送デバイス（１）。
【請求項８】
前記摺動式可動面（１８）が、モータにより駆動されるローラ台を備える、請求項４から７のいずれか一項に記載のシート給送デバイス（１）。
【請求項９】
ローラ（１９）が、前記単一の製品の並進方向に対して横向きに延在するが、後者に対して、前記ローラが傾いている、請求項８に記載のシート給送デバイス（１）。
【請求項１０】
前記単一の製品（４）と前記摺動面（１８）の間の干渉を増大させ、先行するものより低い圧力を及ぼす別のシステムを有する、請求項５から９のいずれか一項に記載のシート給送デバイス（１）。
【請求項１１】
干渉を増大させる前記別のシステムが、弾性支持部（２４）上に装着された一連の車輪（２３）を有する、請求項１０に記載のシート給送デバイス（１）。
【請求項１２】
前記載置台（２）が、少なくとも２方向に従って可動である、シート状の製品の山（３）の角を位置決めするための手段（６）を備える、請求項１から１１のいずれかに記載のシート給送デバイス（１）。
【発明の詳細な説明】
【技術分野】
【０００１】
本発明は、積層挿入物を包装ラインに供給するのに使用されるタイプのシート給送デバイスに関する。
【背景技術】
【０００２】
典型的には、フィーダおよびシート給送デバイスは、連続して作動される包装ラインに沿って、フローパックとして知られる包装手順に従って、例えば、ヒートシール可能な接着樹脂の層を備えることが可能な、セロファンフィルムまたはヒートシール可能な別のフィルム、あるいはさらに巻き取られた紙によって包装される要素を並置して配置するように構成される。
【０００３】
このような方法で包装される要素は、一例として、雑誌、新聞、平坦な小荷物、さらに、単一のシートによって、または密封された縁部を備えるパンフレットによって、または例えば折れ目よって形成された製本部分、または封筒によって形成される、それに関連する挿入物である。一般に、以下の挿入物は、シート状の単一の製品として参照される。
【０００４】
上記の種類の例は、フィーダとして知られるデバイスを使用して、包装ラインに供給される、個別にまたは組で販売される雑誌、および雑誌と一緒に包装される、種々の挿入物（広告または宣伝用リーフレットなど）である。
【０００５】
シート給送デバイスにおいて、単一の製品は一般に、台の上に載置された１つの山に収集される。山の一部は台から突出し、その結果、この山の底部で把持手段が最下位の製品を取り出し、所定の経路に沿って、包装ラインにそれを送ることができる。
【０００６】
包装ラインの極めて高速の流れ速度を考慮すると、ラインに沿って既に流れている要素と同期して各シート給送デバイスから到達する、また例えば、包装ラインに平行であり、下層の要素の中心である正確な配向で重ねられた各挿入物を正確に配置することが、特に考えられる問題である。
【０００７】
実際の問題として、高速の流れ速度は、流れ方向に対して横方向または長手方向に沿って、挿入物に対して強力な加速度を与えることをシート給送デバイスに要求し、いずれにしても、正確な配置を確実にするために、挿入物は制御下に置かれなければならない。
【０００８】
この分野の状況では、載置する台から全体が突出している、製品の自由縁部の複数の地点で、各単一の製品を把持する手段によって、包装ラインに対して平行またはさらに垂直の方向に従って単一の製品を送達するシート給送デバイスが知られている。
【０００９】
米国特許第５，１７４，５５９-Ａ号および欧州特許第１，１６０，１８６号は、単一の製品が、その角で製品を引っ張る単一の吸引キャップによって把持される、シート給送デバイスを開示する。さらに、製品の山が載置される台は、包装ラインの方向、簡単には包装方向に対して斜めに配置される。
【００１０】
したがって、加速度ベクトルを、一方は包装ラインに対して平行に、他方は包装ラインに対して垂直にと２つの要素に分解するために、単一の製品は、包装方向に対して斜めの方向に従って送達される。
【００１１】
要素はそれぞれ、全体のベクトルより小さいサイズまたは大きさを有し、さらに、長手方向の要素がライン速度に結合され得ることを考慮すれば、要素は、サイドストッパによってまたはラインに沿って既に配置される他の製品に対する製品の摩擦によって、互いに独立して制御される。
【００１２】
しかしながら、このような既知の技術のデバイスは、十分に満足できるものではなく、その理由は、単一の製品の移動に対して与えられる配向は、概ね固定され、専用デバイスを必要とする異なるサイズを有する挿入物に適用できないからである。
【００１３】
さらに、長手方向要素の加速度を制御するのは特に困難であり、その理由は、これは、ラインの流れ速度と同期される必要があり、後者は、必然的な所定のエントリを有さないためである。
【発明の開示】
【発明が解決しようとする課題】
【００１４】
本発明の根本的な技術的課題は、既知の技術に関して記載した欠点を排除することができるシート給送デバイスを提供することである。
【課題を解決するための手段】
【００１５】
このような課題は、自由縁部が包装ラインに対して平行または垂直になるように、単一の製品に対してほぼ垂直な軸の周りを単一の製品の面上で並進の相内で、包装ラインに送達する前に、山から引き出された各単一の製品を回転させるための手段を有する、上記の特定されたデバイスによって解決される。
【００１６】
本発明によるシート給送デバイスの主な利点は、製品の角が密封縁部に隣接するという条件で単一の製品のいずれの角でも、またはさらに密封縁部の長さに沿って実現可能である、１つまたは複数の吸引キャップまたは同等の手段によって、山から単一の製品を把持し引き出すことが可能である点と、載置台を包装方向に垂直または平行に配置する点と、それぞれ包装方向にほぼ平行または垂直な方向に従って、単一の製品を送達する点である。
【００１７】
以下、添付の図面を参照して、例証となる非限定的な目的で提供される、その好ましい実施形態に従って、本発明を記載する。
【００１８】
図１Ａおよび２を参照すると、全体として１で示される、シート給送デバイスが記載されている。  
【００１９】
デバイス１は、 シート状の製品４の山が上に配置され、５で示される台２の送達側部で製品が突出するように配置された載置台２を備える。
【００２０】
送達側部５は、デバイス１が上に搭載される連続する包装ラインに含まれる包装方向にほぼ平行であり、このようにして、単一の製品は、包装ラインに垂直に送達される。
【００２１】
しかしながら、送達側部が包装方向に垂直である場合もあり、製品は、これに適合する方向、すなわち包装ラインに対して平行に送達される。
【００２２】
製品は、シート状の製品４の自由縁部の少なくとも一部が突出し、自由縁部については、単一のシートまたは封筒の縁部、リーフレットの製本部分、チラシの折り目が意図される。
【００２３】
図１Ａおよび１Ｃにおいて、自由縁部は製品の長側部であり、図１Ｂにおいて、それは短側部である。
【００２４】
図１Ａおよび１Ｂにおいて、製品は、１つの角のみすなわち三角形の部分のみが突出し、図１Ｃでは、製品は、送達側部５に平行して縁部の全長に沿って突出する。
【００２５】
異なるサイズを有する製品の山を正確に配置するために、シート給送デバイス１は、載置台２の上に、シート状の製品４の山３の角を位置決めするための調整手段６を備え、このような角は、台の上で少なくとも２方向に沿って可動である。
【００２６】
このような手段は、送達側部５に垂直に摺動可能に台２の上に装着された支持部９の上で、送達側部５に対して平行に摺動可能に装着される角を成すブロック部材７（図１Ａおよび１Ｂ）、またはさらに直線のブロック部材８（図１Ｃ）を備える。
【００２７】
デバイス１は、したがって、台２の上に載置された山３の底部から、単一のシート状の製品４を把持し抜き取る手段を備える。把持し抜き取る手段は、全体的に１０で示される。
【００２８】
それらは、作動上の必要に応じて単一または複数の吸引キャップを囲繞し得る可動アーム１２の上に装着された、少なくとも１つの吸引キャップ１１を備える。
【００２９】
このような吸引キャップ１１は、アーム１２の移動に対して、１３で示される単一の製品４の突出する部分を、台２の下に配置された回転ドラム１４に向けて降下させる。
【００３０】
ドラムは、突出する部分１３を捕らえ、単一の製品４の抜き取った物を引っ張り、これが、ドラム１４の表面とドラム１４に隣接するテープ１６の表面との間に差し込まれる、把持プライア１５を備える。
【００３１】
このような方法において、単一の製品は１８０°回転し、矢印Ａで示される包装方向に従って連続して作動される包装ラインＬへの単一の製品の送達手段１７に供給される。
【００３２】
送達手段１７は、摺動面を備え、この摺動面は、容易に理解することができるように、たとえテープまたはベルトによって具現化することも可能であるが、本実施形態においては、ローラ台１８によって構成される。
【００３３】
ローラ台１８のローラ１９は、モータにより駆動され、包装方向Ａにほぼ垂直な送達方向Ｂに対して傾いている。
【００３４】
自由縁部が、包装方向Ａに平行または垂直であるように、デバイス１は、単一の製品４にほぼ垂直な軸の周りを単一の製品の摺動面１８上の単一の製品４の並進相内で、包装ラインＰに沿って送達する前に、山３から引き出された各単一の製品４を回転させるための手段２０を摺動面１８に備える。
【００３５】
回転手段２０は、単一の製品４と可動摺動面１８の間の干渉を増大させるためのシステムを有する。このような干渉を増大させるシステムは、球形状であり、摺動式可動面１８の表面から所定の調整可能な距離に維持され、その下にその経路に沿って単一の製品４が導入される、複数の空転する回転部材２１を備える。
【００３６】
球２１は、摺動面に対する位置が調整可能である支持部２２の上に装着される。
【００３７】
シート給送デバイス１は、したがって、先行する第１システムより低い圧力を及ぼし、弾性支持部２４の上に装着される一連の空転の車輪２３を備える、単一の製品４と摺動面１８の間の干渉を増大させるための第２のシステムを有する。
【００３８】
上記に記載されるシート給送デバイス１の作動に関連して、挿入物のタイプによって、特に自由縁部の位置によって、要求される角または縁部全体のいずれかが突出する位置に、包装用に送達される製品の山を配置することがいかにして可能であるかが明白である。
【００３９】
製品は、角度を成す把持でのように、１つの吸引キャップのみによって、または場合により設けることができる複数の吸引キャップによって引っ張ることができる。
【００４０】
製品は山から引っ張り出されると、包装ラインに向けて送達される。本明細書に記載のケースにおいて、各製品は、ドラムで１８０°回転される。
【００４１】
次に製品は、ローラ台によって形成される摺動面上に送達される。この位置で、包装ラインに送達される前に、製品は回転手段の車輪２１にぶつかる。回転台１８のローラ１９によるより大きな摩擦により、台の縁部、または回転手段に装着された停止縁部、すなわち車輪２１の支持部２２に対して製品が載置されるまで、製品が回転する。
【００４２】
自由縁部全体が突出する、台２の上に配置された製品に対しても同様の回転が与えられ、この場合、製品は９０°の回転を受ける。
【００４３】
回転が要求されない場合、摺動面に対して、回転手段のレベルを上げるだけで十分である。
【００４４】
しかしながら、いずれの状況においても、包装ラインに正確に配置されたいずれの挿入物も送達することが可能である。
【００４５】
上記に記載のシート給送デバイスに対して、当業者は、さらなる、また起こり得る要求を満たすために、添付の特許請求の範囲によって定義される、それら全てが本発明の保護範囲内にあるいずれの場合においても、いくつかの更なる変更形態および変形形態を実現することができる。
【図面の簡単な説明】
【００４６】
【図１Ａ】異なる作動状態の本発明によるシート給送デバイスの斜視図である。
【図１Ｂ】異なる作動状態の本発明によるシート給送デバイスの斜視図である。
【図１Ｃ】異なる作動状態の本発明によるシート給送デバイスの斜視図である。
【図２】図１Ａのデバイスの垂直面による断面図を示す。
【図３Ａ】異なる作動時間における、図１Ａのデバイスの詳細の斜視図である。
【図３Ｂ】異なる作動時間における、図１Ａのデバイスの詳細の斜視図である。
【図１Ａ】
2009536138.tif 000003
【図１Ｂ】
2009536138.tif 000004
【図１Ｃ】
2009536138.tif 000005
【図２】
2009536138.tif 000006
【図３Ａ】
2009536138.tif 000007
【図３Ｂ】
2009536138.tif 000008
【国際調査報告】
2009536138.tif 000009
2009536138.tif 000010
2009536138.tif 000011